【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
ホスト機器から入力する印刷情報に基づいて、記録色に対応するビデオデータを生成し、該ビデオデータを主走査方向に多数並んで配設される発光素子アレイから成る対応する記録色用の光書込記録ヘッドに供給し、その結果発光される画像光を、前記光書込記録ヘッドに対峙して設けられ前記主走査方向と直交する副走査方向に移動する対応する記録色用の感光体上に露光して画像を形成する印刷装置において、
前記光書込記録ヘッドが能動化される期間中記録すべき１ドットラインの画像に対応するビデオデータを該光書込記録ヘッドに供給するビデオデータ供給手段と、
前記光書込記録ヘッドが能動化される期間中該光書込記録ヘッドの所定数の発光素子群から成る複数のブロックを相互に重複して能動化される期間がないタイミングで、且つ前記光書込記録ヘッドの１書込周期のｎ分の１期間ずつ選択的に能動化させ（但し、ｎは１ドットラインの画像を副走査方向に対して分割して記録する分割数）、前記光書込記録ヘッドに印加されているビデオデータに基づいてブロック内の発光素子を選択的に発光させる分割発光制御手段と、を有することを特徴とする印刷装置。
【請求項２】
前記光書込記録ヘッドは、
前記分割発光制御手段により時差を設けて能動化される異なるブロックの発光素子群による発光時期のずれを相殺する量だけ前記各ブロックに対する配設位置が副走査方向に対してずれて配設されることを特徴とする請求項１に記載の印刷装置。
【請求項３】
ホスト機器から入力する印刷情報に基づいて、記録色に対応するビデオデータを生成し、該ビデオデータを主走査方向に多数並んで配設される発光素子アレイから成る対応する記録色用の光書込記録ヘッドに供給し、その結果発光される画像光を、前記光書込記録ヘッドに対峙して設けられ前記主走査方向と直交する副走査方向に移動する対応する記録色用の感光体上に露光して画像を形成する印刷装置において、
前記光書込記録ヘッドが能動化される期間をｍ（ｍは２以上の整数）個の期間に分けるとともに、１ドットラインデータを主走査方向においてｍ個に分けたうちの各１ドットラインデータに対するビデオデータのみ、前記ｍ個の期間のうちの各期間に該光書込記録ヘッドに供給するビデオデータ分割供給手段と、
前記ｍ個の能動化される期間毎に前記光書込記録ヘッドの発光素子の所定のブロックを相互に重複して能動化される期間がないタイミングで、且つ前記光書込記録ヘッドの１書込周期のｎ分の１期間ずつ選択的に能動化させ（但し、ｎは１ドットラインの画像を副走査方向に対して分割して記録する分割数）、前記光書込記録ヘッドに印加されているビデオデータに基づいて前記ブロック内の発光素子を選択的に発光させる分割発光制御手段と、を有することを特徴とする印刷装置。
【請求項４】
前記光書込記録ヘッドは、
前記分割発光制御手段により時差を設けて能動化される異なるブロックの発光素子群による発光時期のずれを相殺する量だけ前記各ブロックに対する配設位置が副走査方向に対してずれて配設されることを特徴とする請求項３に記載の印刷装置。
【請求項５】
ホスト機器から入力する印刷情報に基づいて、記録色に対応するビデオデータを生成し、該ビデオデータを主走査方向に多数並んで配設される発光素子アレイから成る対応する記録色用の光書込記録ヘッドに供給し、その結果発光される画像光を、前記光書込記録ヘッドに対峙して設けられ前記主走査方向と直交する副走査方向に移動する対応する記録色用の感光体上に露光して画像を形成する印刷装置を制御するプログラムであって、
前記光書込記録ヘッドを能動化させる期間中記録すべき１ドットラインの画像に対応するビデオデータを該光書込記録ヘッドに供給させるビデオデータ供給機能と、
前記光書込記録ヘッドを能動化させる期間中該光書込記録ヘッドの所定数の発光素子群から成る複数のブロックを相互に重複して能動化させる期間がないタイミングで、且つ前記光書込記録ヘッドの１書込周期のｎ分の１期間ずつ選択的に能動化させ（但し、ｎは１ドットラインの画像を副走査方向に対して分割して記録する分割数）、前記光書込記録ヘッドに印加させているビデオデータに基づいてブロック内の発光素子を選択的に発光させる分割発光制御機能と、を実行することを特徴とする印刷制御プログラム。
【請求項６】
ホスト機器から入力する印刷情報に基づいて、記録色に対応するビデオデータを生成し、該ビデオデータを主走査方向に多数並んで配設される発光素子アレイから成る対応する記録色用の光書込記録ヘッドに供給し、その結果発光される画像光を、前記光書込記録ヘッドに対峙して設けられ前記主走査方向と直交する副走査方向に移動する対応する記録色用の感光体上に露光して画像を形成する印刷装置において、
前記光書込記録ヘッドを能動化させる期間をｍ（ｍは２以上の整数）個の期間に分けるとともに、１ドットラインデータを主走査方向においてｍ個に分けたうちの各１ドットラインデータに対するビデオデータのみ、前記ｍ個の期間のうちの各期間に該光書込記録ヘッドに供給させるビデオデータ分割供給機能と、
前記ｍ個の能動化させる期間毎に前記光書込記録ヘッドの発光素子の所定のブロックを相互に重複して能動化させる期間がないタイミングで、且つ前記光書込記録ヘッドの１書込周期のｎ分の１期間ずつ選択的に能動化させ（但し、ｎは１ドットラインの画像を副走査方向に対して分割して記録する分割数）、前記光書込記録ヘッドに印加させているビデオデータに基づいて前記ブロック内の発光素子を選択的に発光させる分割発光制御機能と、を実行することを特徴とする印刷制御プログラム。
【手続補正２】
【補正対象書類名】明細書
【補正対象項目名】発明の名称
【補正方法】変更
【補正の内容】
【発明の名称】印刷装置及び印刷制御プログラム
【手続補正３】
【補正対象書類名】明細書
【補正対象項目名】０００１
【補正方法】変更
【補正の内容】
【０００１】
本発明は、印刷装置及び印刷制御プログラムに関する。
【手続補正４】
【補正対象書類名】明細書
【補正対象項目名】０００９
【補正方法】変更
【補正の内容】
【０００９】
上記課題は本発明によれば、ホスト機器から入力する印刷情報に基づいて、記録色に対応するビデオデータを生成し、該ビデオデータを主走査方向に多数並んで配設される発光素子アレイから成る対応する記録色用の光書込記録ヘッドに供給し、その結果発光される画像光を、前記光書込記録ヘッドに対峙して設けられ前記主走査方向と直交する副走査方向に移動する対応する記録色用の感光体上に露光して画像を形成する印刷装置において、
前記光書込記録ヘッドが能動化される期間中記録すべき１ドットラインの画像に対応するビデオデータを該光書込記録ヘッドに供給するビデオデータ供給手段と、
前記光書込記録ヘッドが能動化される期間中該光書込記録ヘッドの所定数の発光素子群から成る複数のブロックを相互に重複して能動化される期間がないタイミングで、且つ前記光書込記録ヘッドの１書込周期のｎ分の１期間ずつ選択的に能動化させ（但し、ｎは１ドットラインの画像を副走査方向に対して分割して記録する分割数）、前記光書込記録ヘッドに印加されているビデオデータに基づいてブロック内の発光素子を選択的に発光させる分割発光制御手段と、を有する印刷装置を提供することによって達成できる。
【手続補正５】
【補正対象書類名】明細書
【補正対象項目名】００１０
【補正方法】変更
【補正の内容】
【００１０】
本発明によれば、従来に比べて装置全体において消費される最大消費電力を抑え、地球環境の保持を確保する国際基準に適合する印刷装置及び印刷制御プログラムを提供することができる。